(57)【要約】【課題】マンホールにおける漏水遮断工事は、マンホールの継目にシール材を挟んで施工するなどしている。しかし、凍上による継目のずれ、もしくは地上からの振動によって破壊され、マンホール本来の機能を失ってしまうなどの問題がある。【解決手段】有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されているマンホール２に対して、上部円筒枠２Ｃ、受枠２Ｄの内周面にマンホール用漏水遮断具体３を位置せしめ、上端用止め輪４と中間用止め輪５で固定するよう構成されている。【選択図】        図１
2004150014.tif 000002
【特許請求の範囲】
【請求項１】
有底の円筒状の下部円筒枠（２Ａ）の上に適数個の円筒状の中間円筒枠（２Ｂ）、逆ろうと状の上部円筒枠（２Ｃ）、受枠（２Ｄ）、蓋（２Ｅ）を順次積み重ねて構成されているマンホール（２）において、天然系合成ゴムをもって上部円筒枠（２Ｃ）の内周面に対応するよう構成された逆ろうと状の円筒面（３Ａ）と、逆ろうと状の円筒面の上端に上方に向け連設された受枠（２Ｄ）の内周面に対応するよう構成された所定高さの円筒状上筒面（３Ｂ）と、逆ろうと状の円筒面の下端に下方に向け連設された中間円筒枠（２Ｂ）の内周面に対応するよう構成された所定高さの円筒状下筒面（３Ｃ）と、円筒状上筒面（３Ｂ）の外周面の上下位置に周方向をもって突設された突条（３Ｂ１、３Ｂ１）と、円筒状下筒面（３Ｃ）の外周面の上下位置に周方向をもって突設された突条（３Ｃ１、３Ｃ１）から構成されていることを特徴とするマンホール用漏水遮断具体。
【請求項２】
有底の円筒状の下部円筒枠（２Ａ）の上に適数個の円筒状の中間円筒枠（２Ｂ）、逆ろうと状の上部円筒枠（２Ｃ）、受枠（２Ｄ）、蓋（２Ｅ）を順次積み重ねて構成されているマンホール（２）において、下記のマンホール用漏水遮断具体（３）と、上端用止め輪（４）と、中間用止め輪（５）から構成されていることを特徴とするマンホールにおける漏水遮断具。
Ａ．マンホール用漏水遮断具体（３）は、天然系合成ゴムをもって上部円筒枠（２Ｃ）の内周面に対応するよう構成された逆ろうと状の円筒面（３Ａ）と、逆ろうと状の円筒面の上端に上方に向け連設された受枠（２Ｄ）の内周面に対応するよう構成された所定高さの円筒状上筒面（３Ｂ）と、逆ろうと状の円筒面の下端に下方に向け連設された中間円筒枠（２Ｂ）の内周面に対応するよう構成された所定高さの円筒状下筒面（３Ｃ）と、円筒状上筒面（３Ｂ）の外周面の上下位置に周方向をもって突設された突条（３Ｂ１、３Ｂ１）と、円筒状下筒面（３Ｃ）の外周面の上下位置に周方向をもって突設された突条（３Ｃ１、３Ｃ１）から構成されていること。
Ｂ．上端用止め輪（４）は、左方の半円状の帯状板（４Ａ）と右方の半円状の帯状板（４Ｂ）と連結枠（４Ｃ）と間隔保持板（４Ｄ）と固定枠（４Ｅ）からなり、マンホール用漏水遮断具体（３）における円筒状上筒面（３Ｂ）の内周面に対応するよう構成され、当該上端用止め輪（４）は、縮径状態にしたり伸径状態にすることができるよう構成されていること。
Ｃ．中間用止め輪（５）は、左方の半円状の帯状板（５Ａ）と右方の半円状の帯状板（５Ｂ）と連結枠（５Ｃ）と間隔保持板（５Ｄ）と固定枠（５Ｅ）からなり、マンホール用漏水遮断具体（３）における円筒状下筒面（３Ｃ）の内周面に対応するよう構成され、当該中間用止め輪（５）は、縮径状態にしたり伸径状態にすることができるよう構成されていること。
【請求項３】
請求項２記載のマンホールにおける漏水遮断具を用いて、下記の各工程から構成されていることを特徴とするマンホールにおける漏水遮断具の使用方法。
第１工程
マンホール用漏水遮断具体（３）の円筒状上筒面（３Ｂ）をマンホール（２）における受枠（２Ｄ）の内周面に当接し、円筒状下筒面（３Ｃ）をマンホール（２）における中間円筒枠（２Ｂ）の上方部分の内周面に当接する状態で取付ける。
第２工程
マンホール用漏水遮断具体（３）の円筒状上筒面（３Ｂ）の内周面に上端用止め輪（４）を位置させ、当該上端用止め輪（４）を伸径状態にして当該円筒状上筒面（３Ｂ）を受枠（２Ｄ）に圧着固定する。
第３工程
マンホール用漏水遮断具体（３）の円筒状下筒面（３Ｃ）の内周面に中間用止め輪（５）を位置させ、当該中間用止め輪（５）を伸径状態にして円筒状下筒面（３Ｃ）を中間円筒枠（２Ｂ）の上方部分の内周面に圧着固定する。
【請求項４】
有底の円筒状の下部円筒枠（２Ａ）の上に適数個の円筒状の中間円筒枠（２Ｂ）、逆ろうと状の上部円筒枠（２Ｃ）、受枠（２Ｄ）、蓋（２Ｅ）を順次積み重ねて構成されているマンホール（２）において、天然系合成ゴムをもって構成されたマンホールの接続部（２Ｆ）に対応する短筒状部（６Ａ）と短筒状上筒面（６Ｂ）と短筒状下筒面（６Ｃ）から構成され、短筒状部（６Ａ）は、縦断面略Ｃ字状の凹部（６Ａ１１）が形成されている凹状板（６Ａ１）を、当該凹部（６Ａ１１）が上方に位置する中間円筒枠（２Ｂ）の下端と下方に位置する中間円筒枠（２Ｂ）の上端あるいは下部円筒枠（２Ａ）の上端との接続部（２Ｆ）に内方から対応するよう平面環状に構成され、短筒状上筒面（６Ｂ）は、短筒状部（６Ａ）の上端に上方に向け連設された中間円筒枠（２Ｂ）の内周面に対応するよう構成された上筒面（６Ｂ１）と、上筒面（６Ｂ１）の外周面における上下位置に周方向をもって突設された突条（６Ｂ１１、６Ｂ１１）から構成され、短筒状下筒面（６Ｃ）は、短筒状部（６Ａ）の下端に下方に向け連設された中間円筒枠（２Ｂ）あるいは下部円筒枠（２Ａ）の内周面に対応するよう構成された下筒面（６Ｃ１）と、下筒面（６Ｃ１）の外周面における上下位置に周方向をもって突設された突条（６Ｃ１１、６Ｃ１１）から構成されていることを特徴とするマンホール用中間用漏水遮断具体。
【請求項５】
有底の円筒状の下部円筒枠（２Ａ）の上に適数個の円筒状の中間円筒枠（２Ｂ）、逆ろうと状の上部円筒枠（２Ｃ）、受枠（２Ｄ）、蓋（２Ｅ）を順次積み重ねて構成されているマンホール（２）において、下記のマンホール用中間用漏水遮断具体（６）と、上下の中間用止め輪（５、５）から構成されていることを特徴とするマンホールにおける漏水遮断具。
Ａ．マンホール用中間用漏水遮断具体（６）は、天然系合成ゴムをもって構成されたマンホールの接続部（２Ｆ）に対応する短筒状部（６Ａ）と短筒状上筒面（６Ｂ）と短筒状下筒面（６Ｃ）から構成され、短筒状部（６Ａ）は、縦断面略Ｃ字状の凹部（６Ａ１１）が形成されている凹状板（６Ａ１）を、当該凹部（６Ａ１１）が上方に位置する中間円筒枠（２Ｂ）の下端と下方に位置する中間円筒枠（２Ｂ）の上端あるいは下部円筒枠（２Ａ）の上端との接続部（２Ｆ）に内方から対応するよう平面環状に構成され、短筒状上筒面（６Ｂ）は、短筒状部（６Ａ）の上端に上方に向け連設された中間円筒枠（２Ｂ）の内周面に対応するよう構成された上筒面（６Ｂ１）と、上筒面（６Ｂ１）の外周面における上下位置に周方向をもって突設された突条（６Ｂ１１、６Ｂ１１）から構成され、短筒状下筒面（６Ｃ）は、短筒状部（６Ａ）の下端に下方に向け連設された中間円筒枠（２Ｂ）あるいは下部円筒枠（２Ａ）の内周面に対応するよう構成された下筒面（６Ｃ１）と、下筒面（６Ｃ１）の外周面における上下位置に周方向をもって突設された突条（６Ｃ１１、６Ｃ１１）から構成されていること。
Ｂ．中間用止め輪（５）は、左方の半円状の帯状板（５Ａ）と右方の半円状の帯状板（５Ｂ）と連結枠（５Ｃ）と間隔保持板（５Ｄ）と固定枠（５Ｅ）からなり、マンホール用中間用漏水遮断具体（６）における短筒状上筒面（６Ｂ）及び短筒状下筒面（６Ｃ）の内周面に対応するよう構成され、当該中間用止め輪（５）は、縮径状態にしたり伸径状態にすることができるよう構成されていること。
【請求項６】
請求項５記載のマンホールにおける漏水遮断具を用いて、下記の各工程から構成されていることを特徴とするマンホールにおける漏水遮断具の使用方法。
第１工程
マンホールにおける上方に位置する中間円筒枠（２Ｂ）の下端と下方に位置する中間円筒枠（２Ｂ）の上端あるいは下部円筒枠（２Ａ）の上端との接続部（２Ｆ）に、マンホール用中間用漏水遮断具体（６）の短筒状部（６Ａ）を対応する状態で取付ける。
第２工程
上の中間用止め輪（５）をマンホール用中間用漏水遮断具体（６）の短筒状上筒面（６Ｂ）の内周面に位置させ、当該上の中間用止め輪（５）を伸径状態にして当該短筒状上筒面（６Ｂ）を中間円筒枠（２Ｂ）に圧着固定する。
第３工程
下の中間用止め輪（５）をマンホール用中間用漏水遮断具体（６）の短筒状下筒面（６Ｃ）の内周面に位置させ、当該下の中間用止め輪（５）を伸径状態にして当該短筒状下筒面（６Ｃ）を中間円筒枠（２Ｂ）あるいは下部円筒枠（２Ａ）に圧着固定する。
【請求項７】
有底の円筒状の下部円筒枠（２Ａ）の上に適数個の円筒状の中間円筒枠（２Ｂ）、逆ろうと状の上部円筒枠（２Ｃ）、受枠（２Ｄ）、蓋（２Ｅ）を順次積み重ねて構成されているマンホール（２）において、請求項２記載のマンホールにおける漏水遮断具と、請求項５記載のマンホールにおける漏水遮断具から構成されていることを特徴とするマンホールにおける漏水遮断具。
【請求項８】
上端用止め輪（４）に代えて使用する第１種上端用止め輪（７）と、中間用止め輪（５）に代えて使用する第１種中間用止め輪（８）は、下記のように構成されている請求項２あるいは請求項５記載のマンホールにおける漏水遮断具。
Ａ．第１種上端用止め輪（７）は、左方の半円状の帯状板（７Ａ）と右方の半円状の帯状板（７Ｂ）と前方ボルト部（７Ｃ）と後方ボルト部（７Ｄ）からなり、マンホール用漏水遮断具体（３）における円筒状上筒面（３Ｂ）の内周面に対応するよう構成され、当該第１種上端用止め輪（７）は、縮径状態にしたり伸径状態にすることができるよう構成されていること。
Ｂ．第１種中間用止め輪（８）は、左方の半円状の帯状板（８Ａ）と右方の半円状の帯状板（８Ｂ）と前方ボルト部（８Ｃ）と後方ボルト部（８Ｄ）からなり、マンホール用漏水遮断具体（３）における円筒状下筒面（３Ｃ）と、マンホール用中間用漏水遮断具体（６）における短筒状上筒面（６Ｂ）及び短筒状下筒面（６Ｃ）の内周面に対応するよう構成され、当該第１種中間用止め輪（８）は、縮径状態にしたり伸径状態にすることができるよう構成されていること。
【発明の詳細な説明】
【０００１】
【発明の属する技術分野】
本発明は、新規な構成を有するマンホール用漏水遮断具体とマンホールにおける漏水遮断具とマンホールにおける漏水遮断具の使用方法に関するものである。
【０００２】
【従来の技術】
従来のマンホールにおける漏水遮断工事は、下記のような構成となっている。
１．マンホールの継目にシール材（ウレタン系）を挟んで施工する。
２．マンホールの継目にモルタルを充填して施工する。
３．マンホールの継目に急結性止水材を充填して施工する。
【０００３】
【発明が解決しようとする課題】
従来の技術で述べたものにあっては、下記のような問題点を有していた。
凍上による継目のずれ、もしくは地上からの振動によって破壊され、マンホール本来の機能を失ってしまう。
すなわち、凍上、解氷によりマンホールの継手部が上下左右にスライドにより変化した場合、漏水遮断部、修繕個所が破壊される。
また、マンホールが設置されている個所では、通行車両によるマンホールの継手部の修繕個所が破壊される。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されているマンホール２において、天然系合成ゴム（ＳＢＲ系）をもって上部円筒枠２Ｃの内周面に対応するよう構成された逆ろうと状の円筒面３Ａと、逆ろうと状の円筒面の上端に上方に向け連設された受枠２Ｄの内周面に対応するよう構成された所定高さの円筒状上筒面３Ｂと、逆ろうと状の円筒面の下端に下方に向け連設された中間円筒枠２Ｂの内周面に対応するよう構成された所定高さの円筒状下筒面３Ｃと、円筒状上筒面３Ｂの外周面の上下位置に周方向をもって突設された突条３Ｂ１、３Ｂ１と、円筒状下筒面３Ｃの外周面の上下位置に周方向をもって突設された突条３Ｃ１、３Ｃ１から構成されていることを特徴とするものである。
【０００６】
請求項２記載の発明は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されているマンホール２において、下記のマンホール用漏水遮断具体３と、上端用止め輪４と、中間用止め輪５から構成されていることを特徴とするものである。
Ａ．マンホール用漏水遮断具体３は、天然系合成ゴム（ＳＢＲ系）をもって上部円筒枠２Ｃの内周面に対応するよう構成された逆ろうと状の円筒面３Ａと、逆ろうと状の円筒面の上端に上方に向け連設された受枠２Ｄの内周面に対応するよう構成された所定高さの円筒状上筒面３Ｂと、逆ろうと状の円筒面の下端に下方に向け連設された中間円筒枠２Ｂの内周面に対応するよう構成された所定高さの円筒状下筒面３Ｃと、円筒状上筒面３Ｂの外周面の上下位置に周方向をもって突設された突条３Ｂ１、３Ｂ１と、円筒状下筒面３Ｃの外周面の上下位置に周方向をもって突設された突条３Ｃ１、３Ｃ１から構成されていること。
Ｂ．上端用止め輪４は、左方の半円状の帯状板４Ａと右方の半円状の帯状板４Ｂと連結枠４Ｃと間隔保持板４Ｄと固定枠４Ｅからなり、マンホール用漏水遮断具体３における円筒状上筒面３Ｂの内周面に対応するよう構成され、当該上端用止め輪４は、縮径状態にしたり伸径状態にすることができるよう構成されていること。
Ｃ．中間用止め輪５は、左方の半円状の帯状板５Ａと右方の半円状の帯状板５Ｂと連結枠５Ｃと間隔保持板５Ｄと固定枠５Ｅからなり、マンホール用漏水遮断具体３における円筒状下筒面３Ｃの内周面に対応するよう構成され、当該中間用止め輪５は、縮径状態にしたり伸径状態にすることができるよう構成されていること。
【０００７】
請求項３記載の発明は、請求項２記載の発明を用いて、下記の各工程から構成されていることを特徴とするものである。
第１工程
マンホール用漏水遮断具体３の円筒状上筒面３Ｂをマンホール２における受枠２Ｄの内周面に当接し、円筒状下筒面３Ｃをマンホール２における中間円筒枠２Ｂの上方部分の内周面に当接する状態で取付ける。
第２工程
マンホール用漏水遮断具体３の円筒状上筒面３Ｂの内周面に上端用止め輪４を位置させ、当該上端用止め輪４を伸径状態にして当該円筒状上筒面３Ｂを受枠２Ｄに圧着固定する。
第３工程
マンホール用漏水遮断具体３の円筒状下筒面３Ｃの内周面に中間用止め輪５を位置させ、当該中間用止め輪５を伸径状態にして円筒状下筒面３Ｃを中間円筒枠２Ｂの上方部分の内周面に圧着固定する。
【０００８】
請求項４記載の発明は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されているマンホール２において、天然系合成ゴム（ＳＢＲ系）をもって構成されたマンホールの接続部２Ｆに対応する短筒状部６Ａと短筒状上筒面６Ｂと短筒状下筒面６Ｃから構成され、
短筒状部６Ａは、縦断面略Ｃ字状の凹部６Ａ１１が形成されている凹状板６Ａ１を、当該凹部６Ａ１１が上方に位置する中間円筒枠２Ｂの下端と下方に位置する中間円筒枠２Ｂの上端あるいは下部円筒枠２Ａの上端とのマンホールの接続部２Ｆに内方から対応するよう平面環状に構成され、
短筒状上筒面６Ｂは、短筒状部６Ａの上端に上方に向け連設された中間円筒枠２Ｂの内周面に対応するよう構成された上筒面６Ｂ１と、上筒面６Ｂ１の外周面における上下位置に周方向をもって突設された突条６Ｂ１１、６Ｂ１１から構成され、
短筒状下筒面６Ｃは、短筒状部６Ａの下端に下方に向け連設された中間円筒枠２Ｂあるいは下部円筒枠２Ａの内周面に対応するよう構成された下筒面６Ｃ１と、下筒面６Ｃ１の外周面における上下位置に周方向をもって突設された突条６Ｃ１１、６Ｃ１１から構成されていることを特徴とするものである。
【０００９】
請求項５記載の発明は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されているマンホール２において、下記のマンホール用中間用漏水遮断具体６と、上下の中間用止め輪５、５から構成されていることを特徴とするものである。
Ａ．マンホール用中間用漏水遮断具体６は、天然系合成ゴム（ＳＢＲ系）をもって構成されたマンホールの接続部２Ｆに対応する短筒状部６Ａと短筒状上筒面６Ｂと短筒状下筒面６Ｃから構成され、
短筒状部６Ａは、縦断面略Ｃ字状の凹部６Ａ１１が形成されている凹状板６Ａ１を、当該凹部６Ａ１１が上方に位置する中間円筒枠２Ｂの下端と下方に位置する中間円筒枠２Ｂの上端あるいは下部円筒枠２Ａの上端との接続部２Ｆに内方から対応するよう平面環状に構成され、
短筒状上筒面６Ｂは、短筒状部６Ａの上端に上方に向け連設された中間円筒枠２Ｂの内周面に対応するよう構成された上筒面６Ｂ１と、上筒面６Ｂ１の外周面における上下位置に周方向をもって突設された突条６Ｂ１１、６Ｂ１１から構成され、
短筒状下筒面６Ｃは、短筒状部６Ａの下端に下方に向け連設された中間円筒枠２Ｂあるいは下部円筒枠２Ａの内周面に対応するよう構成された下筒面６Ｃ１と、下筒面６Ｃ１の外周面における上下位置に周方向をもって突設された突条６Ｃ１１、６Ｃ１１から構成されていること。
Ｂ．中間用止め輪５は、左方の半円状の帯状板５Ａと右方の半円状の帯状板５Ｂと連結枠５Ｃと間隔保持板５Ｄと固定枠５Ｅからなり、マンホール用中間用漏水遮断具体６における短筒状上筒面６Ｂ及び短筒状下筒面６Ｃの内周面に対応するよう構成され、当該中間用止め輪５は、縮径状態にしたり伸径状態にすることができるよう構成されていること。
【００１０】
請求項６記載の発明は、請求項５記載の発明を用いて、下記の各工程から構成されていることを特徴とするものである。
第１工程
マンホールにおける上方に位置する中間円筒枠２Ｂの下端と下方に位置する中間円筒枠２Ｂの上端あるいは下部円筒枠２Ａの上端との接続部２Ｆに、マンホール用中間用漏水遮断具体６の短筒状部６Ａを対応する状態で取付ける。
第２工程
上の中間用止め輪５をマンホール用中間用漏水遮断具体６の短筒状上筒面６Ｂの内周面に位置させ、当該上の中間用止め輪５を伸径状態にして当該短筒状上筒面６Ｂを中間円筒枠２Ｂに圧着固定する。
第３工程
下の中間用止め輪５をマンホール用中間用漏水遮断具体６の短筒状下筒面６Ｃの内周面に位置させ、当該下の中間用止め輪５を伸径状態にして当該短筒状下筒面６Ｃを中間円筒枠２Ｂあるいは下部円筒枠２Ａに圧着固定する。
【００１１】
請求項７記載の発明は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されているマンホール２において、請求項２記載の発明と、請求項５記載の発明から構成されていることを特徴とするものである。
【００１２】
請求項８記載の発明は、請求項２あるいは請求項５記載の発明において、上端用止め輪４に代えて使用する第１種上端用止め輪７と、中間用止め輪５に代えて使用する第１種中間用止め輪８は下記のように構成されていることを特徴とするものである。
Ａ．第１種上端用止め輪７は、左方の半円状の帯状板７Ａと右方の半円状の帯状板７Ｂと前方ボルト部７Ｃと後方ボルト部７Ｄからなり、マンホール用漏水遮断具体３における円筒状上筒面３Ｂの内周面に対応するよう構成され、当該第１種上端用止め輪７は、縮径状態にしたり伸径状態にすることができるよう構成されていること。
Ｂ．第１種中間用止め輪８は、左方の半円状の帯状板８Ａと右方の半円状の帯状板８Ｂと前方ボルト部８Ｃと後方ボルト部８Ｄからなり、マンホール用漏水遮断具体３における円筒状下筒面３Ｃと、マンホール用中間用漏水遮断具体６における短筒状上筒面６Ｂ及び短筒状下筒面６Ｃの内周面に対応するよう構成され、当該第１種中間用止め輪８は、縮径状態にしたり伸径状態にすることができるよう構成されていること。
【００１３】
【発明の実施の形態】
以下、本発明の実施の形態を実施例にもとづき図面を参照して説明する。
３は第１発明のマンホール用漏水遮断具体である。
１は第２発明のマンホールにおける漏水遮断具である。
６は第３発明のマンホール用中間用漏水遮断具体である。
１１は第４発明のマンホールにおける漏水遮断具である。
１１１は第５発明のマンホールにおける漏水遮断具である。
マンホール２は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されている。
【００１４】
第１発明のマンホール用漏水遮断具体３は、天然系合成ゴム（ＳＢＲ系）をもって上部円筒枠２Ｃの内周面に対応するよう構成された逆ろうと状の円筒面３Ａと、逆ろうと状の円筒面の上端に上方に向け連設された受枠２Ｄの内周面に対応するよう構成された所定高さの円筒状上筒面３Ｂと、逆ろうと状の円筒面の下端に下方に向け連設された中間円筒枠２Ｂの内周面に対応するよう構成された所定高さの円筒状下筒面３Ｃと、円筒状上筒面３Ｂの外周面の上下位置に周方向をもって突設された突条３Ｂ１、３Ｂ１と、円筒状下筒面３Ｃの外周面の上下位置に周方向をもって突設された突条３Ｃ１、３Ｃ１から構成されている。
【００１５】
１は第２発明のマンホールにおける漏水遮断具で、マンホール用漏水遮断具体３と、上端用止め輪４と、中間用止め輪５から構成されている。
Ａ．マンホール用漏水遮断具体３は、天然系合成ゴム（ＳＢＲ系）をもって上部円筒枠２Ｃの内周面に対応するよう構成された逆ろうと状の円筒面３Ａと、逆ろうと状の円筒面の上端に上方に向け連設された受枠２Ｄの内周面に対応するよう構成された所定高さの円筒状上筒面３Ｂと、逆ろうと状の円筒面の下端に下方に向け連設された中間円筒枠２Ｂの内周面に対応するよう構成された所定高さの円筒状下筒面３Ｃと、円筒状上筒面３Ｂの外周面の上下位置に周方向をもって突設された突条３Ｂ１、３Ｂ１と、円筒状下筒面３Ｃの外周面の上下位置に周方向をもって突設された突条３Ｃ１、３Ｃ１から構成されている。
【００１６】
Ｂ．上端用止め輪４は、左方の半円状の帯状板４Ａと右方の半円状の帯状板４Ｂと連結枠４Ｃと間隔保持板４Ｄと固定枠４Ｅから構成されている。
ａ．左方の半円状の帯状板４Ａは、マンホール用漏水遮断具体３における円筒状上筒面３Ｂの幅とほぼ同じ幅を有し、円筒状上筒面３Ｂの左方内周面の長さより短く構成されていると共に、帯状板４Ａの後方端４Ａ１の内側には係止用小板４Ａ２がボルト４Ａ３により着脱自在に取付けられている。
ｂ．右方の半円状の帯状板４Ｂは、マンホール用漏水遮断具体３における円筒状上筒面３Ｂの幅とほぼ同じ幅を有し、円筒状上筒面３Ｂの右方内周面の長さより短く構成されていると共に、帯状板４Ｂの後方端４Ｂ１の内側には係止用小板４Ｂ２がボルト４Ｂ３により着脱自在に取付けられている。
ｃ．連結枠４Ｃは、横向き略コ字状の短い型材で構成され、左方の半円状の帯状板４Ａにおける前方端４Ａ４と右方の半円状の帯状板４Ｂにおける前方端４Ｂ４の当接部分に内方から装着し、ボルト４Ｃ１、４Ｃ１により固定されている。
ｄ．間隔保持板４Ｄは、左方の半円状の帯状板４Ａの幅と同一幅の板で構成され、長さは当該間隔保持板４Ｄを左方の半円状の帯状板４Ａの後方端４Ａ１と右方の半円状の帯状板４Ｂの後方端４Ｂ１との間に嵌込んだ場合、左方の半円状の帯状板４Ａと右方の半円状の帯状板４Ｂが、マンホール用漏水遮断具体３における円筒状上筒面３Ｂに対して内方から押圧できる長さに構成されている。
ｅ．固定枠４Ｅは、間隔保持板４Ｄより長い横向き略コ字状の型材で構成され、左方にはボルト穴４Ｅ１を開設し、右方には横長のボルト穴４Ｅ２を開設することで、係止用小板４Ａ２を取外した左方の半円状の帯状板４Ａの後方端４Ａ１と、係止用小板４Ｂ２を取外した右方の半円状の帯状板４Ｂの後方端４Ｂ１と、間隔保持板４Ｄの当接部分に内方から装着し、ボルト４Ａ３、４Ｂ３により固定するよう構成されている。
【００１７】
Ｃ．中間用止め輪５は、左方の半円状の帯状板５Ａと右方の半円状の帯状板５Ｂと連結枠５Ｃと間隔保持板５Ｄと固定枠５Ｅから構成されている。
ａ．左方の半円状の帯状板５Ａは、マンホール用漏水遮断具体３における円筒状下筒面３Ｃの幅とほぼ同じ幅を有し、円筒状下筒面３Ｃの左方内周面の長さより短く構成されていると共に、帯状板５Ａの後方端５Ａ１の内側には係止用小板５Ａ２がボルト５Ａ３により着脱自在に取付けられている。
ｂ．右方の半円状の帯状板５Ｂは、マンホール用漏水遮断具体３における円筒状下筒面３Ｃの幅とほぼ同じ幅を有し、円筒状下筒面３Ｃの右方内周面の長さより短く構成されていると共に、帯状板５Ｂの後方端５Ｂ１の内側には係止用小板５Ｂ２がボルト５Ｂ３により着脱自在に取付けられている。
ｃ．連結枠５Ｃは、横向き略コ字状の短い型材で構成され、左方の半円状の帯状板５Ａにおける前方端５Ａ４と右方の半円状の帯状板５Ｂにおける前方端５Ｂ４の当接部分に内方から装着し、ボルト５Ｃ１、５Ｃ１により固定されている。
ｄ．間隔保持板５Ｄは、左方の半円状の帯状板５Ａの幅と同一幅の板で構成され、長さは当該間隔保持板５Ｄを左方の半円状の帯状板５Ａの後方端５Ａ１と右方の半円状の帯状板５Ｂの後方端５Ｂ１との間に嵌込んだ場合、左方の半円状の帯状板５Ａと右方の半円状の帯状板５Ｂが、マンホール用漏水遮断具体３における円筒状下筒面３Ｃに対して内方から押圧できる長さに構成されている。
ｅ．固定枠５Ｅは、横向き略コ字状の間隔保持板５Ｄより長い型材で構成され、左方にはボルト穴５Ｅ１を開設し、右方には横長のボルト穴５Ｅ２を開設することで、係止用小板５Ａ２を取外した左方の半円状の帯状板５Ａの後方端５Ａ１と、係止用小板５Ｂ２を取外した右方の半円状の帯状板５Ｂの後方端５Ｂ１と、間隔保持板５Ｄの当接部分に内方から装着し、ボルト５Ａ３、５Ｂ３により固定するよう構成されている。
【００１８】
第２発明のマンホールにおける漏水遮断具１の使用方法は下記の通りである。図１を参照する。
第１工程
マンホール用漏水遮断具体３の円筒状上筒面３Ｂをマンホール２における受枠２Ｄの内周面に当接し、円筒状下筒面３Ｃをマンホール２における中間円筒枠２Ｂの上方部分の内周面に当接する状態で取付ける。
第２工程
マンホール用漏水遮断具体３の円筒状上筒面３Ｂの内周面に上端用止め輪４を位置させ、当該上端用止め輪４を伸径状態にして当該円筒状上筒面３Ｂを受枠２Ｄに圧着固定する。
ここで、上端用止め輪４の取付け状態を説明する。
図４〜図８を参照する。
図６、図７のように後端に係止用小板４Ａ２と係止用小板４Ｂ２が取付けられ連結枠４Ｃで連結された左方の半円状の帯状板４Ａと右方の半円状の帯状板４Ｂを、係止用小板４Ａ２と係止用小板４Ｂ２に係止した油圧ジャッキＫで伸径状態にしたのち、左方の半円状の帯状板４Ａと右方の半円状の帯状板４Ｂの後端間に間隔保持板４Ｄを嵌込み、この後、係止用小板４Ａ２と係止用小板４Ｂ２を除去し、固定枠４Ｅによって固定する。
第３工程
マンホール用漏水遮断具体３の円筒状下筒面３Ｃの内周面に中間用止め輪５を位置させ、当該中間用止め輪５を伸径状態にして円筒状下筒面３Ｃを中間円筒枠２Ｂの上方部分の内周面に圧着固定する。
ここで、中間用止め輪５の取付け状態を説明する。
図９〜図１３を参照する。
図１２、図１３のように後端に係止用小板５Ａ２と係止用小板５Ｂ２が取付けられ連結枠５Ｃで連結された左方の半円状の帯状板５Ａと右方の半円状の帯状板５Ｂを、係止用小板５Ａ２と係止用小板５Ｂ２に係止した油圧ジャッキＫで伸径状態にしたのち、左方の半円状の帯状板５Ａと右方の半円状の帯状板５Ｂの後端間に間隔保持板５Ｄを嵌込み、係止用小板５Ａ２と係止用小板５Ｂ２を除去し、固定枠５Ｅによって固定する。
【００１９】
第３発明のマンホール用中間用漏水遮断具体６は、天然系合成ゴム（ＳＢＲ系）をもって構成されたマンホールの接続部２Ｆに対応する短筒状部６Ａと短筒状上筒面６Ｂと短筒状下筒面６Ｃから構成されている。
ａ．短筒状部６Ａは、縦断面略Ｃ字状の凹部６Ａ１１が形成されている凹状板６Ａ１を、当該凹部６Ａ１１が上方に位置する中間円筒枠２Ｂの下端と下方に位置する中間円筒枠２Ｂの上端あるいは下部円筒枠２Ａの上端との接続部２Ｆに内方から対応するよう平面環状に構成されている。
ｂ．短筒状上筒面６Ｂは、短筒状部６Ａの上端に上方に向け連設された中間円筒枠２Ｂの内周面に対応するよう構成された上筒面６Ｂ１と、上筒面６Ｂ１の外周面における上下位置に周方向をもって突設された突条６Ｂ１１、６Ｂ１１から構成されている。
ｃ．短筒状下筒面６Ｃは、短筒状部６Ａの下端に下方に向け連設された中間円筒枠２Ｂあるいは下部円筒枠２Ａの内周面に対応するよう構成された下筒面６Ｃ１と、下筒面６Ｃ１の外周面における上下位置に周方向をもって突設された突条６Ｃ１１、６Ｃ１１から構成されている。
【００２０】
１１は第４発明のマンホールにおける漏水遮断具で、マンホール用中間用漏水遮断具体６と、上下の中間用止め輪５、５から構成されている。
Ａ．マンホール用中間用漏水遮断具体６は、天然系合成ゴム（ＳＢＲ系）をもって構成されたマンホールの接続部２Ｆに対応する短筒状部６Ａと短筒状上筒面６Ｂと短筒状下筒面６Ｃから構成されている。
ａ．短筒状部６Ａは、縦断面略Ｃ字状の凹部６Ａ１１が形成されている凹状板６Ａ１を、当該凹部６Ａ１１が上方に位置する中間円筒枠２Ｂの下端と下方に位置する中間円筒枠２Ｂの上端あるいは下部円筒枠２Ａの上端との接続部２Ｆに内方から対応するよう平面環状に構成されている。
ｂ．短筒状上筒面６Ｂは、短筒状部６Ａの上端に上方に向け連設された中間円筒枠２Ｂの内周面に対応するよう構成された上筒面６Ｂ１と、上筒面６Ｂ１の外周面における上下位置に周方向をもって突設された突条６Ｂ１１、６Ｂ１１から構成されている。
ｃ．短筒状下筒面６Ｃは、短筒状部６Ａの下端に下方に向け連設された中間円筒枠２Ｂあるいは下部円筒枠２Ａの内周面に対応するよう構成された下筒面６Ｃ１と、下筒面６Ｃ１の外周面における上下位置に周方向をもって突設された突条６Ｃ１１、６Ｃ１１から構成されている。
【００２１】
Ｂ．中間用止め輪５は、左方の半円状の帯状板５Ａと右方の半円状の帯状板５Ｂと連結枠５Ｃと間隔保持板５Ｄと固定枠５Ｅから構成されている。
ａ．左方の半円状の帯状板５Ａは、マンホール用中間用漏水遮断具体６における短筒状上筒面６Ｂの幅とほぼ同じ幅を有し、上筒面６Ｂ１あるいは下筒面６Ｃ１の左方内周面の長さより短く構成されていると共に、帯状板５Ａの後方端５Ａ１の内側には係止用小板５Ａ２がボルト５Ａ３により着脱自在に取付けられている。
ｂ．右方の半円状の帯状板５Ｂは、マンホール用中間用漏水遮断具体６における短筒状下筒面６Ｃの幅とほぼ同じ幅を有し、上筒面６Ｂ１あるいは下筒面６Ｃ１の右方内周面の長さより短く構成されていると共に、帯状板５Ｂの後方端５Ｂ１の内側には係止用小板５Ｂ２がボルト５Ｂ３により着脱自在に取付けられている。
ｃ．連結枠５Ｃは、横向き略コ字状の短い型材で構成され、左方の半円状の帯状板５Ａにおける前方端５Ａ４と右方の半円状の帯状板５Ｂにおける前方端５Ｂ４の当接部分に内方から装着し、ボルト５Ｃ１、５Ｃ１により固定されている。
ｄ．間隔保持板５Ｄは、左方の半円状の帯状板５Ａの幅と同一幅の板で構成され、左方の半円状の帯状板５Ａの後方端５Ａ１と右方の半円状の帯状板５Ｂの後方端５Ｂ１間に間隔保持板５Ｄを嵌込んだ場合、間隔保持板は、左方の半円状の帯状板５Ａと右方の半円状の帯状板５Ｂが、マンホールにおける中間円筒枠２Ｂの下端と、下部円筒枠２Ａの上端に対して内方から押圧できる長さに構成されている。
なお、図示は省略するが、下部円筒枠２Ａと上部円筒枠２Ｃとの間に中間円筒枠２Ｂが数段積層される場合、左方の半円状の帯状板５Ａの後方端５Ａ１と右方の半円状の帯状板５Ｂの後方端５Ｂ１間に嵌込んだ間隔保持板５Ｄは、上方に位置する中間円筒枠２Ｂの下端と、下方に位置する中間円筒枠２Ｂの上端に対して内方から押圧できる長さに構成されていることになる。
ｅ．固定枠５Ｅは、間隔保持板５Ｄより長い横向き略コ字状の型材で構成され、左方にはボルト穴５Ｅ１を開設し、右方には横長のボルト穴５Ｅ２を開設することで、係止用小板５Ａ２を取外した左方の半円状の帯状板５Ａの後方端５Ａ１と、係止用小板５Ｂ２を取外した右方の半円状の帯状板５Ｂの後方端５Ｂ１と、間隔保持板５Ｄの当接部分に内方から装着し、ボルト５Ａ３、５Ｂ３により固定するよう構成されている。
【００２２】
第４発明のマンホールにおける漏水遮断具１１の使用方法は下記の通りである。図１４を参照する。
第１工程
マンホールにおける上方に位置する中間円筒枠２Ｂの下端と下方に位置する中間円筒枠２Ｂの上端あるいは下部円筒枠２Ａの上端との接続部２Ｆに、マンホール用中間用漏水遮断具体６の短筒状部６Ａを対応する状態で取付ける。
第２工程
上の中間用止め輪５をマンホール用中間用漏水遮断具体６の短筒状上筒面６Ｂの内周面に位置させ、当該上の中間用止め輪５を伸径状態にして当該短筒状上筒面６Ｂを中間円筒枠２Ｂに圧着固定する。
第３工程
下の中間用止め輪５をマンホール用中間用漏水遮断具体６の短筒状下筒面６Ｃの内周面に位置させ、当該下の中間用止め輪５を伸径状態にして当該短筒状下筒面６Ｃを中間円筒枠２Ｂあるいは下部円筒枠２Ａに圧着固定する。
ここで、中間用止め輪５の取付け状態を説明する。
図１７〜図２１を参照する。
図１９、図２０のように後端に係止用小板５Ａ２と係止用小板５Ｂ２が取付けられ連結枠５Ｃで連結された左方の半円状の帯状板５Ａと右方の半円状の帯状板５Ｂを、係止用小板５Ａ２と係止用小板５Ｂ２に係止した油圧ジャッキＫで伸径状態にしたのち、左方の半円状の帯状板５Ａと右方の半円状の帯状板５Ｂの後端間に間隔保持板５Ｄを嵌込み、この後、係止用小板５Ａ２と係止用小板５Ｂ２を除去し、固定枠５Ｅによって固定する。
【００２３】
１１１は第５発明のマンホールにおける漏水遮断具で、第２発明のマンホールにおける漏水遮断具１と、第４発明のマンホールにおける漏水遮断具１１から構成されている。
すなわち、第２発明のマンホールにおける漏水遮断具１は、マンホール用漏水遮断具体３と、上端用止め輪４と、中間用止め輪５からなり、第４発明のマンホールにおける漏水遮断具１１は、マンホール用中間用漏水遮断具体６と上下の中間用止め輪５、５から構成されている。
マンホール２は、有底の円筒状の下部円筒枠２Ａの上に適数個の円筒状の中間円筒枠２Ｂ、逆ろうと状の上部円筒枠２Ｃ、受枠２Ｄ、蓋２Ｅを順次積み重ねて構成されている。
Ａ．マンホール用漏水遮断具体３は、第２発明のマンホール用漏水遮断具体３と同一に構成されている。
Ｂ．上端用止め輪４は、第２発明の上端用止め輪４と同一に構成されている。
Ｃ．中間用止め輪５は、第２発明と第４発明の中間用止め輪５と同一に構成されている。
Ｄ．マンホール用中間用漏水遮断具体６は、第４発明のマンホール用中間用漏水遮断具体６と同一に構成されている。
【００２４】
上端用止め輪４の他の実施例である第１種上端用止め輪７と、中間用止め輪５の他の実施例である第１種中間用止め輪８について説明する。（図３７から図４０を参照する。）
Ａ．第１種上端用止め輪７は、左方の半円状の帯状板７Ａと右方の半円状の帯状板７Ｂと前方ボルト部７Ｃと後方ボルト部７Ｄから構成されている。
ａ．左方の半円状の帯状板７Ａは、マンホール用漏水遮断具体３における円筒状上筒面３Ｂの幅とほぼ同じ幅を有し、円筒状上筒面３Ｂの左方内周面の長さより長く構成されている。
ｂ．右方の半円状の帯状板７Ｂは、マンホール用漏水遮断具体３における円筒状上筒面３Ｂの幅とほぼ同じ幅を有し、円筒状上筒面３Ｂの右方内周面の長さより長く構成されていると共に、左方の半円状の帯状板７Ａにおける前後端部分７Ａ１、７Ａ１は、右方の半円状の帯状板７Ｂにおける前後端部分７Ｂ１、７Ｂ１と交差させた状態に構成されている。
ｃ．前方ボルト部７Ｃは、左方の半円状の帯状板７Ａにおける前端部分７Ａ１の近傍位置に内方に向け突設された左ボルト受け７Ｃ１と、右方の半円状の帯状板７Ｂにおける前端部分７Ｂ１の近傍位置に内方に向け突設された右ボルト受け７Ｃ２と、左ボルト受け７Ｃ１と右ボルト受け７Ｃ２に掛架螺合された前方ボルト７Ｃ３から構成されている。
ｄ．後方ボルト部７Ｄは、左方の半円状の帯状板７Ａにおける後端部分７Ａ１の近傍位置に内方に向け突設された左ボルト受け７Ｄ１と、右方の半円状の帯状板７Ｂにおける後端部分７Ｂ１の近傍位置に内方に向け突設された右ボルト受け７Ｄ２と、左ボルト受け７Ｄ１と右ボルト受け７Ｄ２に前方ボルト７Ｃ３とは逆方向をもって掛架螺合された後方ボルト７Ｄ３から構成されている。
この第１種上端用止め輪７の使用方法は、図３８を参照して、適当な工具で前方ボルト７Ｃ３と後方ボルト７Ｄ３を回動させることで、第１種上端用止め輪７を縮径状態にしたり、伸径状態にすることができる。
【００２５】
Ｂ．第１種中間用止め輪８は、左方の半円状の帯状板８Ａと右方の半円状の帯状板８Ｂと前方ボルト部８Ｃと後方ボルト部８Ｄから構成されている。
ａ．左方の半円状の帯状板８Ａは、マンホール用漏水遮断具体３における円筒状下筒面３Ｃの幅とほぼ同じ幅を有し、円筒状下筒面３Ｃの左方内周面の長さより長く構成されている。
ｂ．右方の半円状の帯状板８Ｂは、マンホール用漏水遮断具体３における円筒状下筒面３Ｃの幅とほぼ同じ幅を有し、円筒状下筒面３Ｃの右方内周面の長さより長く構成されていると共に、左方の半円状の帯状板８Ａにおける前後端部分８Ａ１、８Ａ１は、右方の半円状の帯状板８Ｂにおける前後端部分８Ｂ１、８Ｂ１と交差させた状態に構成されている。
ｃ．前方ボルト部８Ｃは、左方の半円状の帯状板８Ａにおける前端部分８Ａ１の近傍位置に内方に向け突設された左ボルト受け８Ｃ１と、右方の半円状の帯状板８Ｂにおける前端部分８Ｂ１の近傍位置に内方に向け突設された右ボルト受け８Ｃ２と、左ボルト受け８Ｃ１と右ボルト受け８Ｃ２に掛架螺合された前方ボルト８Ｃ３から構成されている。
ｄ．後方ボルト部８Ｄは、左方の半円状の帯状板８Ａにおける後端部分８Ａ１の近傍位置に内方に向け突設された左ボルト受け８Ｄ１と、右方の半円状の帯状板８Ｂにおける後端部分８Ｂ１の近傍位置に内方に向け突設された右ボルト受け８Ｄ２と、左ボルト受け８Ｄ１と右ボルト受け８Ｄ２に前方ボルト８Ｃ３とは逆方向をもって掛架螺合された後方ボルト８Ｄ３から構成されている。
この第１種中間用止め輪８の使用方法は、図４０を参照して、適当な工具で前方ボルト８Ｃ３と後方ボルト８Ｄ３を回動させることで、第１種中間用止め輪８を縮径状態にしたり、伸径状態にすることができる。
【００２６】
【実施例】
さらに、以下のような条件で実験した結果、極めて良好な結果が得られた。
Ａ．マンホール用漏水遮断具体３やマンホール用中間用漏水遮断具体６の素材である天然系合成ゴム（ＳＢＲ系）は、硬質でありながら弾力性を有するものである。
Ｂ．マンホール用漏水遮断具体３やマンホール用中間用漏水遮断具体６の厚さは、１０ｍｍ程度のものを使用した。
【００２７】
【発明の効果】
本発明は、上述の通り構成されているので次に記載する効果を奏する。
１．本発明の最大の効果は、従来工法における漏水補修部の凍結や解氷及び振動によるマンホール継手部分の上下左右のずれによる破壊を、本発明では、漏水遮断具体の材質を天然系合成ゴムにすることにより上下左右の振動に対応できるものとし、漏水遮断箇所に影響を及ぼさない。従来の漏水補修工法の最大の弱点を解消したことにある。
２．漏水遮断具体の材質に天然系合成ゴムを使用しているため、マンホール継手部からの進入水の水圧に耐えられる強度を有し、漏水遮断箇所も止め輪による外圧により漏水が発生しない。また、漏水遮断具体を設置するマンホール内は、ゴムの劣化の要因となる紫外線や急激な温度変化がなく、最適な設置場所となるため漏水遮断性能の低下が少なく、長期にわたってその性能を維持できる。
３．中間円筒枠が複数になってもマンホールの継目個所だけの布設により施工が容易なことと、ゴム量が少ないことで製品のコストダウンとなった。
４．中間用漏水遮断具体６は、凍上及び振動などによる上下左右の動きに耐え得るよう帯状の中間部分を伸縮できるような形状にした。
５．マンホール用漏水遮断具体３には、突条３Ｂ１、３Ｂ１と突条３Ｃ１、３Ｃ１が、また、マンホール用中間用漏水遮断具体６には突条６Ｂ１１、６Ｂ１１と突条６Ｃ１１、６Ｃ１１が突設されているから、マンホール用漏水遮断具体あるいはマンホール用中間用漏水遮断具体を上端用止め輪や中間用止め輪で伸径状態にしてマンホール２の内周面に押圧すると、これらの突条が少しつぶれた状態になり高い水密状態を発揮することができる。
６．このほか、安価に製造できる、部品点数が少ないので組立が容易である、経済的である、などの効果をも有するものである。
【図面の簡単な説明】
【図１】第２発明の縦断面図である。
【図２】第１発明の上部用漏水遮断具体の斜視図である。
【図３】Ａ−Ａ線断面図である。
【図４】上端用止め輪の斜視図である。
【図５】上端用止め輪の組立て状態を説明する分解斜視図である。
【図６】上端用止め輪の組立て状態を説明する分解斜視図である。
【図７】上端用止め輪の組立て状態を説明する分解斜視図である。
【図８】上端用止め輪の組立て状態を説明する分解斜視図である。
【図９】中間用止め輪の組立て状態を説明する分解斜視図である。
【図１０】中間用止め輪の組立て状態を説明する分解斜視図である。
【図１１】中間用止め輪の組立て状態を説明する斜視図である。
【図１２】中間用止め輪の組立て状態を説明する分解斜視図である。
【図１３】中間用止め輪の組立て状態を説明する分解斜視図である。
【図１４】第４発明の縦断面図である。
【図１５】第３発明の中間用漏水遮断具体の斜視図である。
【図１６】Ｂ−Ｂ線断面図である。
【図１７】中間用止め輪の斜視図である。
【図１８】中間用止め輪の組立て状態を説明する分解斜視図である。
【図１９】中間用止め輪の組立て状態を説明する斜視図である。
【図２０】中間用止め輪の組立て状態を説明する分解斜視図である。
【図２１】中間用止め輪の組立て状態を説明する分解斜視図である。
【図２２】第５発明の縦断面図である。
【図２３】マンホール用漏水遮断具体の斜視図である。
【図２４】Ｃ−Ｃ線断面図である。
【図２５】マンホール用中間用漏水遮断具体の斜視図である。
【図２６】Ｄ−Ｄ線断面図である。
【図２７】上端用止め輪の斜視図である。
【図２８】上端用止め輪の組立て状態を説明する分解斜視図である。
【図２９】上端用止め輪の組立て状態を説明する斜視図である。
【図３０】上端用止め輪の組立て状態を説明する分解斜視図である。
【図３１】上端用止め輪の組立て状態を説明する分解斜視図である。
【図３２】中間用止め輪の斜視図である。
【図３３】中間用止め輪の組立て状態を説明する分解斜視図である。
【図３４】中間用止め輪の組立て状態を説明する斜視図である。
【図３５】中間用止め輪の組立て状態を説明する分解斜視図である。
【図３６】中間用止め輪の組立て状態を説明する分解斜視図である。
【図３７】第１種上端用止め輪の斜視図である。
【図３８】同上の平面図である。
【図３９】第１種中間用止め輪の斜視図である。
【図４０】同上の平面図である。
【符号の説明】
１  第２発明のマンホールにおける漏水遮断具
３  第１発明のマンホール用漏水遮断具体
４  上端用止め輪
５  中間用止め輪
６  第３発明のマンホール用中間用漏水遮断具体
１１  第４発明のマンホールにおける漏水遮断具
１１１  第５発明のマンホールにおける漏水遮断具
７  第１種上端用止め輪
８  第１種中間用止め輪
【図１】
2004150014.tif 000003
【図２】
2004150014.tif 000004
【図３】
2004150014.tif 000005
【図４】
2004150014.tif 000006
【図５】
2004150014.tif 000007
【図６】
2004150014.tif 000008
【図７】
2004150014.tif 000009
【図８】
2004150014.tif 000010
【図９】
2004150014.tif 000011
【図１０】
2004150014.tif 000012
【図１１】
2004150014.tif 000013
【図１２】
2004150014.tif 000014
【図１３】
2004150014.tif 000015
【図１４】
2004150014.tif 000016
【図１５】
2004150014.tif 000017
【図１６】
2004150014.tif 000018
【図１７】
2004150014.tif 000019
【図１８】
2004150014.tif 000020
【図１９】
2004150014.tif 000021
【図２０】
2004150014.tif 000022
【図２１】
2004150014.tif 000023
【図２２】
2004150014.tif 000024
【図２３】
2004150014.tif 000025
【図２４】
2004150014.tif 000026
【図２５】
2004150014.tif 000027
【図２６】
2004150014.tif 000028
【図２７】
2004150014.tif 000029
【図２８】
2004150014.tif 000030
【図２９】
2004150014.tif 000031
【図３０】
2004150014.tif 000032
【図３１】
2004150014.tif 000033
【図３２】
2004150014.tif 000034
【図３３】
2004150014.tif 000035
【図３４】
2004150014.tif 000036
【図３５】
2004150014.tif 000037
【図３６】
2004150014.tif 000038
【図３７】
2004150014.tif 000039
【図３８】
2004150014.tif 000040
【図３９】
2004150014.tif 000041
【図４０】
2004150014.tif 000042